【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
（１）（ｉ）Ｅがエチレンであり、ＸがＣ３〜Ｃ８α，βエチレン性不飽和カルボン酸であり、そしてＹが、アルキル基が１〜８個の炭素原子を有するアクリル酸アルキルおよびメタクリル酸アルキルから選択された軟化コモノマーである少なくとも１つのＥ／Ｘ／Ｙ共重合体であって、ＸがＥ／Ｘ／Ｙ共重合体の約２〜３０重量％であり、かつ、ＹがＥ／Ｘ／Ｙ共重合体の約０〜４０重量％であるＥ／Ｘ／Ｙ共重合体と、
（ｉｉ）ブレンドの全成分中の組合せられた酸カルボン酸官能基が少なくとも部分的にカリウムによって中和されている、１つまたは複数の有機酸またはその塩と
のブレンドを含む少なくとも１つのポリマー層、および
（２）ポリマー材料を含む少なくとも１つの表層
を含むことを特徴とする多層積層物品。
【請求項２】
（ｉ）Ｅがエチレンであり、ＸがＣ３〜Ｃ８α，βエチレン性不飽和カルボン酸であり、そしてＹが、アルキル基が１〜８個の炭素原子を有するアクリル酸アルキルおよびメタクリル酸アルキルから選択された軟化コモノマーである少なくとも１つのＥ／Ｘ／Ｙ共重合体であって、ＸがＥ／Ｘ／Ｙ共重合体の約２〜３０重量％であり、かつ、ＹがＥ／Ｘ／Ｙ共重合体の約０〜４０重量％であるＥ／Ｘ／Ｙ共重合体と、
（ｉｉ）ブレンドの全成分中の組合せられた酸カルボン酸官能基が少なくとも部分的にカリウムによって中和されている、１つまたは複数の有機酸またはその塩と
（ｉｉｉ）約９５重量％未満の量の熱可塑性ポリマーと
のブレンドを含むことを特徴とする帯電防止組成物。
【手続補正２】
【補正対象書類名】明細書
【補正対象項目名】００５５
【補正方法】変更
【補正の内容】
【００５５】
【表１】
2006506258.tif 000001
なお、本発明の好ましい態様としては以下のものを挙げることができる。
１．（１）（ｉ）Ｅがエチレンであり、ＸがＣ３〜Ｃ８α，βエチレン性不飽和カルボン酸であり、そしてＹが、アルキル基が１〜８個の炭素原子を有するアクリル酸アルキルおよびメタクリル酸アルキルから選択された軟化コモノマーである少なくとも１つのＥ／Ｘ／Ｙ共重合体であって、ＸがＥ／Ｘ／Ｙ共重合体の約２〜３０重量％であり、かつ、ＹがＥ／Ｘ／Ｙ共重合体の約０〜４０重量％であるＥ／Ｘ／Ｙ共重合体と、
（ｉｉ）ブレンドの全成分中の組合せられた酸カルボン酸官能基が少なくとも部分的にカリウムによって中和されている、１つまたは複数の有機酸またはその塩と
のブレンドを含む少なくとも１つのポリマー層、および
（２）ポリマー材料を含む少なくとも１つの表層
を含むことを特徴とする多層積層物品。
２．（ｉｉ）が６〜３６個の炭素原子を有する脂肪族一官能基性有機酸、またはその塩から選択されることを特徴とする１に記載の物品。
３．（ｉｉ）がクエン酸またはその塩であることを特徴とする１に記載の物品。
４．（ｉ）がエチレン、２３．５重量％のアクリル酸ｎ−ブチルおよび９重量％のメタクリル酸を含む三元共重合体であり、かつ、（ｉｉ）がカリウムで名目上１００％中和された約３０〜約４０重量％のステアリン酸カリウムからであることを特徴とする１に記載の物品。
５．（ｉ）がエチレンおよび少なくとも１０重量％のメタクリル酸を含む共重合体であり、かつ、（ｉｉ）がカリウムで名目上１００％中和された約３０〜約４０重量％のステアリン酸カリウムからであることを特徴とする１に記載の物品。
６．２つのポリマー層より本質的になることを特徴とする１に記載の物品。
７．２つの表層と１つの中間層とがあり、かつ、（ｉ）が前記２つの表層間に配置された中間層であることを特徴とする少なくとも３つの層を含む１に記載の物品。
８．前記中間層が
（ａ）エチレン、２３．５重量％のアクリル酸ｎ−ブチルおよび９重量％のメタクリル酸を含む三元共重合体と、
（ｂ）カリウムで名目上１００％中和された４０重量％のステアリン酸カリウムと
のブレンドを含むことを特徴とする７に記載の物品。
９．前記中間層が
（ａ）エチレンおよび少なくとも１０重量パーセントのメタクリル酸を含む三元共重合体と、
（ｂ）約３０〜約４０重量％の名目上１００％中和されたステアリン酸カリウムと
のブレンドを含むことを特徴とする７に記載の物品。
１０．前記表層の少なくとも１つが亜鉛アイオノマーと、メタロセン触媒を用いて製造されたエチレンをベースとするポリマーとから選択されたポリマー材料よりなることを特徴とする７に記載の物品。
１１．前記表層の少なくとも１つと前記中間層との間に配置されている接着層または回収層から選択された少なくとも１つの追加層を含むことを特徴とする７に記載の物品。
１２．シート、バッグまたは多層容器の形状にあることを特徴とする７に記載の物品。
１３．包装に使用されるシートであることを特徴とする１２に記載の物品。
１４．ブロー成形によって得られることを特徴とする１３に記載の多層容器。
１５．テープ、シート、チューブ、パイプ、バッグ、ロッド；ダイシングテープ；接着テープまたは裏面研削フィルムのような半導体用フィルム；マーキングフィルム、集積回路キャリアテープおよび電子部品のテーピング用テープのような電気および電子材料；食品包装用材料；医療用品；保護フィルム（例えば、ガラス、プラスチックまたは金属の板およびレンズ、のガードフィルムまたはシート）；鋼線被覆材料；クリーンルームカーテン；壁紙；マット；床仕上げ材；フレキシブルコンテナの内部バッグ；容器；靴；電池セパレーター；透湿フィルム；防汚フィルム；防塵フィルム；ＰＶＣなしフィルム；チューブ、容器よりなる群の物品から選択された物品であることを特徴とする１に記載の物品。
１６．ブロー成形または射出成形によって得られることを特徴とする１に記載の物品。
２．（ｉ）Ｅがエチレンであり、ＸがＣ３〜Ｃ８α，βエチレン性不飽和カルボン酸であり、そしてＹが、アルキル基が１〜８個の炭素原子を有するアクリル酸アルキルおよびメタクリル酸アルキルから選択された軟化コモノマーである少なくとも１つのＥ／Ｘ／Ｙ共重合体であって、ＸがＥ／Ｘ／Ｙ共重合体の約２〜３０重量％であり、かつ、ＹがＥ／Ｘ／Ｙ共重合体の約０〜４０重量％であるＥ／Ｘ／Ｙ共重合体と、
（ｉｉ）ブレンドの全成分中の組合せられた酸カルボン酸官能基が少なくとも部分的にカリウムによって中和されている、１つまたは複数の有機酸またはその塩と
（ｉｉｉ）約９５重量％未満の量の熱可塑性ポリマーと
のブレンドを含むことを特徴とする帯電防止組成物。
１８．１７に記載の組成物を含むことを特徴とする物品。
１９．テープ、シート、チューブ、パイプ、バッグ、ロッド；ダイシングテープ；接着テープまたは裏面研削フィルムのような半導体用フィルム；マーキングフィルム、集積回路キャリアテープおよび電子部品のテーピング用テープのような電気および電子材料；食品包装用材料；医療用品；保護フィルム（例えば、ガラス、プラスチックまたは金属の板およびレンズ、のガードフィルムまたはシート）；鋼線被覆材料；クリーンルームカーテン；壁紙；マット；床仕上げ材；フレキシブルコンテナの内部バッグ；容器；靴；電池セパレーター；透湿フィルム；防汚フィルム；防塵フィルム；ＰＶＣなしフィルム；チューブ、容器よりなる群の物品から選択された物品であることを特徴とする１８に記載の物品。
２０．ブロー成形または射出成形によって得られることを特徴とする１８に記載の物品。